(57)【要約】【課題】吹き戻しの専管体の中で、唾液が溜まってしまうことを防止する吹き戻しを提供する。【解決手段】吹き戻し１は、健康促進や治療、美容などの目的に利用可能なものであり、筒状で変形自在な袋状部で空気が吹き込まれて膨らむ伸縮体２と、吹き戻し１を把持する箇所である専管体３と、使用者が口にくわえて空気を吹き込む口吹体４と、吹き戻し用ストラップ１０を吹き戻し１に接続するためのストラップ取付紐５とを備えている。この吹き戻し１に取り付けられる吹き戻し用ストラップ１０は、例えば使用者の首に掛けられる掛け部１１と、連結金具１２と、ストラップ取付紐５に接続されるフック１３とを備えている。【選択図】  図３
2018202169.tif 000002
【特許請求の範囲】
【請求項１】
筒状の専管体と、前記専管体の一端側に設けられ筒状で変形自在な伸縮体と、を備え、前記専管体の他端側を使用者がくわえて空気を吹き込むと前記伸縮体が伸び、空気を吹き込まないと前記伸縮体が渦巻状に巻かれる吹き戻しであって、
紐状で、一端側が前記専管体に接続され、他端側に使用者の首を含む対象体に掛ける掛け部を有するストラップを備え、前記掛け部を前記対象体に掛けた際に前記専管体の他端側が下方に向くように、前記ストラップの一端側が前記専管体に接続されている、
ことを特徴とする吹き戻し。
【請求項２】
前記ストラップの一端側と前記専管体の外周面を覆うことで、前記ストラップの一端側と前記専管体とを接続し、かつ、前記専管体を補強する接着テープを備える、
ことを特徴とする請求項１に記載の吹き戻し。
【請求項３】
筒状の専管体と、前記専管体の一端側に設けられ筒状で変形自在な伸縮体と、を備え、前記専管体の他端側を使用者がくわえて空気を吹き込むと前記伸縮体が伸び、空気を吹き込まないと前記伸縮体が渦巻状に巻かれる、吹き戻しに取り付けられる吹き戻し用ストラップであって、
紐状で、一端側が前記専管体に接続され、他端側に使用者の首を含む対象体に掛ける掛け部を有し、前記掛け部を前記対象体に掛けた際に前記専管体の他端側が下方に向くように、前記一端側が前記専管体に接続される、
ことを特徴とする吹き戻し用ストラップ。
【請求項４】
筒状の専管体と、前記専管体の一端側に設けられ筒状で変形自在な伸縮体と、を備えた吹き戻しと、係止部を有するストラップと、を接続するための吹き戻し用アダプタであって、
略四角い平板状で一辺から突出した目印部を有するシールと、該シールに設けられた被係止部と、を備え、
前記吹き戻しの伸縮体に前記目印部が位置するように前記シールを前記専管体に貼り付け、前記被係止部に前記ストラップの係止部を係止させることで、前記ストラップで前記吹き戻しを吊り下げた際に前記専管体の他端側が下方に向く、
ことを特徴とする吹き戻し用アダプタ。
【請求項５】
筒状の専管体と、前記専管体の一端側に設けられ筒状で変形自在な伸縮体と、を備えた吹き戻しと、係止部を有するストラップと、を接続するための吹き戻し用アダプタであって、
前記専管体に貼り付けられるシールと、該シールに設けられた被係止部と、を備え、
前記シールの表面には、前記専管体のどこに貼り付けるかを示す貼付位置が標され、該貼付位置に前記シールを貼り付け、前記被係止部に前記ストラップの係止部を係止させることで、前記ストラップで前記吹き戻しを吊り下げた際に前記専管体の他端側が下方に向く、
ことを特徴とする吹き戻し用アダプタ。
【請求項６】
筒状の専管体と、前記専管体の一端側に設けられ筒状で変形自在な伸縮体と、を備えた吹き戻しと、係止部を有するストラップと、を接続するための吹き戻し用アダプタであって、
前記専管体を挟持するための挟持部と、該挟持部を操作する把持部と、前記ストラップの係止部が係止される被係止部とを備え、
前記専管体の一端側を上記挟持部で挟持するとともに、前記被係止部に前記ストラップの係止部を係止させることで、前記ストラップで前記吹き戻しを吊り下げた際に前記専管体の他端側が下方に向く、
ことを特徴とする吹き戻し用アダプタ。
【請求項７】
筒状の専管体と、前記専管体の一端側に設けられ筒状で変形自在な伸縮体と、を備えた吹き戻しと、係止部を有するストラップと、を接続するための吹き戻し用アダプタであって、
前記伸縮体が膨らんだときの外径と略同じ大きさの中心孔と、該中心孔の一部に形成された切欠部と、前記ストラップの係止部が係止される被係止部とを備えた板状部材からなり、
前記伸縮体の専管体側端部に上記板状部材の切欠部を通して中心孔に伸縮体を位置させるとともに、前記被係止部に前記ストラップの係止部を係止させることで、前記ストラップで前記吹き戻しを吊り下げた際に前記専管体の他端側が下方に向く、
ことを特徴とする吹き戻し用アダプタ。
【請求項８】
筒状の専管体と、前記専管体の一端側に設けられ筒状で変形自在な伸縮体と、を備えた吹き戻しに取り付けられる吹き戻し用アダプタ付ストラップであって、
ストラップ本体とアダプタとを備え、
該アダプタは、前記専管体を挟持するための挟持部と、該挟持部を操作する把持部とを有し、
前記専管体の一端側を上記挟持部で挟持することで、前記ストラップ本体で前記吹き戻しを吊り下げた際に前記吹き戻しを前記専管体の他端側が下方に向く、
ことを特徴とする吹き戻し用アダプタ付ストラップ。
【請求項９】
筒状の専管体と、前記専管体の一端側に設けられ筒状で変形自在な伸縮体と、を備えた吹き戻しに取り付けられる吹き戻し用アダプタ付ストラップであって、
ストラップ本体とアダプタとを備え、
該アダプタは、前記伸縮体が膨らんだときの外径と略同じ大きさの中心孔と、該中心孔の一部に形成された切欠部とを有した板状部材で、
アダプタの切欠部を通して伸縮体を中心孔内に位置させることで、前記ストラップ本体で前記吹き戻しを吊り下げた際に前記吹き戻しを前記専管体の他端側が下方に向く、
ことを特徴とする吹き戻し用アダプタ付ストラップ。
【発明の詳細な説明】
【技術分野】
【０００１】
この発明は、吹き戻しに関し、特に、健康促進や治療、美容などの目的に利用可能な吹き戻し、吹き戻し用ストラップ、吹き戻し用アダプタ及び吹き戻し用アダプタ付ストラップに関する。
【背景技術】
【０００２】
吹き戻しは、古くから吹き戻し玩具として知られている。この吹き戻しは、筒状の伸縮体（袋状部）の長手方向に沿って針金のように弾性を有する線状体が配設され、伸縮体の一端部には、使用者が把持するための専管体が設けられている。この専管体の他端側から空気を吹き込むと、伸縮体が伸び、空気を吹き込まない状態では、線状体の弾性力によって伸縮体が渦巻状に巻かれるものである。
【０００３】
このような吹き戻しは、従来、主に子供の玩具として使用されていたが、健康促進や治療、美容などの目的で呼吸訓練を行うために利用可能な吹き戻しが知られている（例えば、特許文献１参照。）。この吹き戻しは、抗菌性の柔軟材料から形成されたマウスピースを吹き込み部に着脱自在に備えることで、長期間の繰り返し使用によっても衛生状態を良好に保ち得るものであり、これにより健康促進や治療、美容などの目的で呼吸訓練を行うために利用可能とするものである。
【先行技術文献】
【特許文献】
【０００４】
【特許文献１】実用新案登録第３１３７９４４号公報
【発明の概要】
【発明が解決しようとする課題】
【０００５】
ところで、このような吹き戻しでは、専管体の他端側を口でくわえて空気を吹き込むため、使用者の唾液が専管体に入り、専管体の中で唾液が溜まってしまうことがある。そのため、専管体の中で雑菌が繁殖してしまい、不衛生であった。このようなことは、上記のようなマウスピースを使用しても防止することはできなかった。また、専管体は一般的にその素材が紙（厚紙など）の場合が多く、唾液が溜まってしまうと、濡れたままになり脆く破損しやすくなっていた。
【０００６】
そこでこの発明は、専管体の中で唾液が溜まってしまうことを防止する吹き戻し、吹き戻し用ストラップ、吹き戻し用アダプタ及び吹き戻し用アダプタ付ストラップを提供することを目的とする。
【課題を解決するための手段】
【０００７】
上記課題を解決するために、請求項１の発明は、筒状の専管体と、前記専管体の一端側に設けられ筒状で変形自在な伸縮体と、を備え、前記専管体の他端側を使用者がくわえて空気を吹き込むと前記伸縮体が伸び、空気を吹き込まないと前記伸縮体が渦巻状に巻かれる吹き戻しであって、紐状で、一端側が前記専管体に接続され、他端側に使用者の首を含む対象体に掛ける掛け部を有するストラップを備え、前記掛け部を前記対象体に掛けた際に前記専管体の他端側が下方に向くように、前記ストラップの一端側が前記専管体に接続されている、ことを特徴とする。
【０００８】
請求項２の発明は、請求項１に記載の吹き戻しにおいて、前記ストラップの一端側と前記専管体の外周面を覆うことで、前記ストラップの一端側と前記専管体とを接続し、かつ、前記専管体を補強する接着テープを備える、ことを特徴とする。
【０００９】
請求項３の発明は、筒状の専管体と、前記専管体の一端側に設けられ筒状で変形自在な伸縮体と、を備え、前記専管体の他端側を使用者がくわえて空気を吹き込むと前記伸縮体が伸び、空気を吹き込まないと前記伸縮体が渦巻状に巻かれる、吹き戻しに取り付けられる吹き戻し用ストラップであって、紐状で、一端側が前記専管体に接続され、他端側に使用者の首を含む対象体に掛ける掛け部を有し、前記掛け部を前記対象体に掛けた際に前記専管体の他端側が下方に向くように、前記一端側が前記専管体に接続される、ことを特徴とする。
【００１０】
請求項４の発明は、筒状の専管体と、前記専管体の一端側に設けられ筒状で変形自在な伸縮体と、を備えた吹き戻しと、係止部を有するストラップと、を接続するための吹き戻し用アダプタであって、略四角い平板状で一辺から突出した目印部を有するシールと、該シールに設けられた被係止部と、を備え、前記吹き戻しの伸縮体に前記目印部が位置するように前記シールを前記専管体に貼り付け、前記被係止部に前記ストラップの係止部を係止させることで、前記ストラップで前記吹き戻しを吊り下げた際に前記専管体の他端側が下方に向く、ことを特徴とする。
【００１１】
請求項５の発明は、筒状の専管体と、前記専管体の一端側に設けられ筒状で変形自在な伸縮体と、を備えた吹き戻しと、係止部を有するストラップと、を接続するための吹き戻し用アダプタであって、前記専管体に貼り付けられるシールと、該シールに設けられた被係止部と、を備え、前記シールの表面には、前記専管体のどこに貼り付けるかを示す貼付位置が標され、該貼付位置に前記シールを貼り付け、前記被係止部に前記ストラップの係止部を係止させることで、前記ストラップで前記吹き戻しを吊り下げた際に前記専管体の他端側が下方に向く、ことを特徴とする。
【００１２】
請求項６の発明は、筒状の専管体と、前記専管体の一端側に設けられ筒状で変形自在な伸縮体と、を備えた吹き戻しと、係止部を有するストラップと、を接続するための吹き戻し用アダプタであって、前記専管体を挟持するための挟持部と、該挟持部を操作する把持部と、前記ストラップの係止部が係止される被係止部とを備え、前記専管体の一端側を上記挟持部で挟持するとともに、前記被係止部に前記ストラップの係止部を係止させることで、前記ストラップで前記吹き戻しを吊り下げた際に前記専管体の他端側が下方に向く、ことを特徴とする。
【００１３】
請求項７の発明は、筒状の専管体と、前記専管体の一端側に設けられ筒状で変形自在な伸縮体と、を備えた吹き戻しと、係止部を有するストラップと、を接続するための吹き戻し用アダプタであって、前記伸縮体が膨らんだときの外径と略同じ大きさの中心孔と、該中心孔の一部に形成された切欠部と、前記ストラップの係止部が係止される被係止部とを備えた板状部材からなり、前記伸縮体の専管体側端部に上記板状部材の切欠部を通して中心孔に伸縮体を位置させるとともに、前記被係止部に前記ストラップの係止部を係止させることで、前記ストラップで前記吹き戻しを吊り下げた際に前記専管体の他端側が下方に向く、ことを特徴とする。
【００１４】
請求項８の発明は、筒状の専管体と、前記専管体の一端側に設けられ筒状で変形自在な伸縮体と、を備えた吹き戻しに取り付けられる吹き戻し用アダプタ付ストラップであって、ストラップ本体とアダプタとを備え、該アダプタは、前記専管体を挟持するための挟持部と、該挟持部を操作する把持部とを有し、前記専管体の一端側を上記挟持部で挟持することで、前記ストラップ本体で前記吹き戻しを吊り下げた際に前記吹き戻しを前記専管体の他端側が下方に向く、ことを特徴とする。
【００１５】
請求項９の発明は、筒状の専管体と、前記専管体の一端側に設けられ筒状で変形自在な伸縮体と、を備えた吹き戻しに取り付けられる吹き戻し用アダプタ付ストラップであって、ストラップ本体とアダプタとを備え、該アダプタは、前記伸縮体が膨らんだときの外径と略同じ大きさの中心孔と、該中心孔の一部に形成された切欠部とを有した板状部材で、アダプタの切欠部を通して伸縮体を中心孔内に位置させることで、前記ストラップ本体で前記吹き戻しを吊り下げた際に前記吹き戻しを前記専管体の他端側が下方に向く、ことを特徴とする。
【発明の効果】
【００１６】
請求項１の発明によれば、吹き戻しの専管体に一端側が接続され、他端側に使用者の首を含む対象体に掛ける掛け部を有するストラップを備えている。このストラップは、掛け部を対象体に掛けた際に、専管体の他端側が下方に向くように一端側が専管体に接続されている。そのため、専管体の他端側、すなわち専管体の使用者がくわえて空気を吹き込む側が下方を向くので、専管体の中に溜まっていた唾液が下方に落下するため、専管体の中に唾液が溜まってしまうことを防止することが可能になる。これにより、専管体の中で雑菌が繁殖して不衛生になることを防止することができるとともに専管体の耐久性を上げることができる。
【００１７】
請求項２の発明によれば、ストラップの一端側と専管体の外周面を覆う接着テープを備え、ストラップの一端側と専管体とを接続し、かつ、専管体を補強するので、ストラップの一端側が吹き戻しの専管体から外れてしまうことを防止する。これにより、吹き戻しの専管体の他端側が下方を向いた状態で安定するので、専管体の中で唾液が溜まってしまうことを防止することが可能になる。
【００１８】
請求項３の発明によれば、この吹き戻し用ストラップは、一端側が吹き戻しの専管体に接続され、他端側に使用者の首を含む対象体に掛ける掛け部を有している。この掛け部を対象体に掛けた際に、専管体の他端側が下方に向くように一端側が専管体に接続されている。そのため、吹き戻しの専管体の他端側、すなわち専管体の使用者がくわえて空気を吹き込む側が下方を向くので、専管体の中に溜まっていた唾液が下方に落下するため、専管体の中に唾液が溜まってしまうことを防止することが可能になる。これにより、専管体の中で雑菌が繁殖して不衛生になることを防止することができるとともに専管体の耐久性を上げることができる。
【００１９】
請求項４の発明によれば、この吹き戻し用アダプタは、略四角い平板状で一辺から突出した目印部を有するシールと、該シールに設けられた被係止部と、を備え、前記吹き戻しの伸縮体に前記目印部が位置するように前記シールを前記専管体に貼り付け、前記被係止部に前記ストラップの係止部を係止させるようにしたので、吹き戻し用アダプタを吹き戻しの所定の位置に簡便にかつ精度よく取り付けることが可能になる。これにより、専管体の中で雑菌が繁殖して不衛生になることを防止することができるとともに専管体の耐久性を上げることができる。
【００２０】
請求項５の発明によれば、この吹き戻し用アダプタは、筒状の専管体と、前記専管体の一端側に設けられ筒状で変形自在な伸縮体と、を備えた吹き戻しと、係止部を有するストラップと、を接続するための吹き戻し用アダプタであって、前記専管体に貼り付けられるシールと、該シールに設けられた被係止部と、を備え、前記シールの表面には、前記専管体のどこに貼り付けるかを示す貼付位置が標され、該貼付位置に前記シールを貼り付けたので、吹き戻し用アダプタを吹き戻しの所定の位置に簡便にかつ精度よく取り付けることが可能になる。これにより、専管体の中で雑菌が繁殖して不衛生になることを防止することができるとともに専管体の耐久性を上げることができる。
【００２１】
請求項６の発明によれば、この吹き戻し用アダプタは、筒状の専管体と、前記専管体の一端側に設けられ筒状で変形自在な伸縮体と、を備えた吹き戻しと、係止部を有するストラップと、を接続するための吹き戻し用アダプタであって、前記専管体を挟持するための挟持部と、該挟持部を操作する把持部と、前記ストラップの係止部が係止される被係止部とを備え、前記専管体の一端側を上記挟持部で挟持するとともに、前記被係止部に前記ストラップの係止部を係止するようにしたので、吹き戻し用アダプタを吹き戻しの所定の位置に簡便にかつ精度よく取り付けることが可能になる。これにより、専管体の中で雑菌が繁殖して不衛生になることを防止することができるとともに専管体の耐久性を上げることができる。
【００２２】
請求項７の発明によれば、この吹き戻し用アダプタは、筒状の専管体と、前記専管体の一端側に設けられ筒状で変形自在な伸縮体と、を備えた吹き戻しと、係止部を有するストラップと、を接続するための吹き戻し用アダプタであって、前記伸縮体が膨らんだときの外径と略同じ大きさの中心孔と、該中心孔の一部に形成された切欠部と、前記ストラップの係止部が係止される被係止部とを備えた板状部材からなり、前記伸縮体の専管体側端部に上記板状部材の切欠部を通して中心孔に伸縮体を位置させるとともに、前記被係止部に前記ストラップの係止部を係止するようにしたので、吹き戻し用アダプタを吹き戻しの所定の位置に簡便にかつ精度よく取り付けることが可能になる。これにより、専管体の中で雑菌が繁殖して不衛生になることを防止することができるとともに専管体の耐久性を上げることができる。
【００２３】
請求項８の発明によれば、この吹き戻し用アダプタ付ストラップは、筒状の専管体と、前記専管体の一端側に設けられ筒状で変形自在な伸縮体と、を備えた吹き戻しに取り付けられる吹き戻し用アダプタ付ストラップであって、ストラップ本体とアダプタとを備え、該アダプタは、前記専管体を挟持するための挟持部と、該挟持部を操作する把持部とを有し、前記専管体の一端側を上記挟持部で挟持するようにしたので、簡便にかつ確実に前記ストラップ本体で前記吹き戻しを吊り下げた際に前記吹き戻しを前記専管体の他端側が下方に向くようにすることができ、専管体の中で雑菌が繁殖して不衛生になることを防止することができるとともに専管体の耐久性を上げることができる。
【００２４】
請求項９の発明によれば、この吹き戻し用アダプタ付ストラップは、筒状の専管体と、前記専管体の一端側に設けられ筒状で変形自在な伸縮体と、を備えた吹き戻しに取り付けられる吹き戻し用アダプタ付ストラップであって、ストラップ本体とアダプタとを備え、該アダプタは、前記伸縮体が膨らんだときの外径と略同じ大きさの中心孔と、該中心孔の一部に形成された切欠部とを有した板状部材で、アダプタの切欠部を通して伸縮体を中心孔内に位置させるようにしたので、簡便にかつ確実に前記ストラップ本体で前記吹き戻しを吊り下げた際に前記吹き戻しを前記専管体の他端側が下方に向くようにすることができ、専管体の中で雑菌が繁殖して不衛生になることを防止することができるとともに専管体の耐久性を上げることができる。
【図面の簡単な説明】
【００２５】
【図１】この発明の実施の形態１に係る吹き戻し１を示す左側面図である。
【図２】図１の吹き戻し１を示す平面図である。
【図３】図１の吹き戻し１に取り付けられる吹き戻し用ストラップ１０を示す斜視図である。
【図４】図３の吹き戻し用ストラップ１０を図１の吹き戻し１に取り付けた状態を示す斜視図である。
【図５】この発明の実施の形態２に係る吹き戻し用アダプタ７０を示し、（ａ）はこの吹き戻し用アダプタ７０が貼り付けられる吹き戻し１Ａを示す背面図、（ｂ）は吹き戻し１Ａに貼り付けられる前の状態の吹き戻し用アダプタ７０の正面図である。
【図６】（ａ）は図５の吹き戻し用アダプタ７０が貼られた状態の吹き戻し１Ａの背面図、（ｂ）はその吹き戻し１Ａの側面図である。
【図７】この発明の実施の形態３に係る吹き戻し用アダプタ８０を示し、（ａ）は、この吹き戻し用アダプタ８０を展開した状態の正面図、（ｂ）は吹き戻し用アダプタ８０を吹き戻し１Ｂに貼り付けた状態の背面図である。
【図８】この発明の実施の形態４に係る吹き戻し用アダプタ９０を示し、（ａ）は、この吹き戻し用アダプタ９０の側面図、（ｂ）は吹き戻し用アダプタ９０の平面図、（ｃ）は吹き戻し用アダプタ９０を吹き戻し１Ｃに取り付けた状態の背面図である。
【図９】この発明の実施の形態５に係る吹き戻し用アダプタ１００を示し、（ａ）は、この吹き戻し用アダプタ１００の正面図、（ｃ）は吹き戻し用アダプタ１００を吹き戻し１Ｄに取り付けた状態の側面図、（ｃ）は吹き戻し用アダプタ１００を吹き戻し１Ｄに取り付けた状態の平面図である。
【図１０】この発明の実施の形態６に係る吹き戻し用アダプタ付ストラップ１５を示す正面図である。
【図１１】この発明の実施の形態７に係る吹き戻し用アダプタ付ストラップ１６を示す正面図である。
【発明を実施するための形態】
【００２６】
以下、この発明を図示の各実施の形態に基づいて説明する。
【００２７】
（実施の形態１）
図１ないし図４は、この実施の形態１に係る吹き戻し１を示し、図１は、この吹き戻し１を示す左側面図であり、図２は、図１の吹き戻し１を示す平面図である。この吹き戻し１は、特に、健康促進や治療、美容などの目的に利用可能な吹き戻しであり、主として、伸縮体２と、専管体３と、口吹体４と、ストラップ取付紐（ストラップの一端側）５とを備え、使用目的や使用者状況などに応じて、伸縮体２を伸ばすのに要する吹く力（必要呼気力）が設定されている。また、ストラップ取付紐５は、接着テープ６により専管体３の側面に接続されている。
【００２８】
伸縮体２は、筒状で変形自在な袋状部であり、空気が吹き込まれると膨らんで断面が略円形になることで伸びた状態になり、空気を吹き込まない状態では渦巻状に巻かれるように構成されている。この伸縮体２は、主として渦巻状部２１と、線状体２２とを備えている。
【００２９】
渦巻状部２１は、空気の吹き込みにより渦巻状・コイル状に巻かれる箇所であり、所定の厚み、強度、密度（単位面積当たりの重量）、耐久性などの材質（特性）を有する紙材を素材として構成され、その外径が専管体３の一端の内径よりもやや大きくなるように設定されている。この渦巻状部２１の長さは、健康促進や治療、美容等の目的（吹き戻し１の使用目的）や、使用者の口腔機能状態や体調等の使用者状況などに応じて設定されている。すなわち、渦巻状部２１を伸ばすのに要する空気量が、目的や使用者状況などに応じて予め設定された適正空気量になるように、渦巻状部２１の長さが設定されている。
【００３０】
線状体２２は、弾性を有し渦巻状部２１の長手方向に沿って真っ直ぐに配設された線材、例えば、ステンレス製の針金で構成され、渦巻状部２１の紙材に挟まれている。渦巻状部２１に外力を加えない状態（伸縮体２に空気を吹き込まない状態）では、図１に示すように、線状体２２の弾性力により渦巻状・コイル状に巻かれた状態であり、渦巻状部２１に外力を加える（伸縮体２に空気が吹き込まれる）と、真っ直ぐに伸び、この外力を解除すると、渦巻状部２１が渦巻状に戻ろうとする弾性力が線状体２２により作用するものである。線状体２２の弾性力は、伸縮体２を伸ばすのに要する必要呼気力が吹き戻し１の使用目的や使用者状況などに応じて設定された適正値になるように、換言すると、口吹体４から空気を吹き込む必要呼気力が適正値（所定値）以上でないと、伸縮体２が伸びないように、弾性力が所定値に設定されている。
【００３１】
専管体３は、使用者が吹き戻し１を把持する箇所であり、伸縮体２の一端に接続され、所定の材質を有する厚い紙材で略円筒状に形成された円筒体である。この専管体３は、伸縮体２側の端部である一端部（専管体一端側）３１と、口吹体４側の端部である他端部（専管体他端側）３２とを備え、一端部３１が伸縮体２の一端部内に挿入されて、ビニルテープ等で接続されている。この専管体３の内径と長さは、使用者が容易に持つことができ、かつ、口吹体４から伸縮体２に空気を吹き込みやすいように設定されている。
【００３２】
口吹体４は、使用者が口にくわえて空気を吹き込む箇所であり、略円筒状で専管体３の他端部３２に接続されている。この口吹体４は、例えば、プラスチック樹脂等により形成されている。なお、口吹体４には、例えば、使用者のくわえ心地を良好にして長期間繰り返し使用しても衛生状態を良好に維持するためのマウスピースが装着自在となっている。
【００３３】
ストラップ取付紐５は、後述する吹き戻し用ストラップ１０を吹き戻し１に接続するために平らに形成された環状の紐であり、専管体３の一端部３１近傍であって、渦巻状部２１が渦巻状に巻かれる側の反対側に設けられている。このストラップ取付紐５は、ポリプロピレンのような合成樹脂等により形成され、主として接続部５１と、環状部５２とを備えている。
【００３４】
接続部５１は、ストラップ取付紐５を環状にして端部を重ねた状態で、接着テープ６によりに覆われて接続され、専管体３が補強されている接続箇所であり、一端部３１の近傍から他端部３２へ専管体３の軸方向に沿って設けられ、図２に示すように、専管体３から外れないようにするため、接着テープ６の幅と略同一の長さを有している。環状部５２は、図１に示すようにストラップ取付紐５の環状部分であり、吹き戻し用ストラップ１０が接続される箇所である。この環状部５２は、吹き戻し用ストラップ１０が接続されたときに専管体３の他端部３２側が下方に向くようにするため、一端部３１から自由端が伸縮体２側に突出するように形成されている。
【００３５】
このストラップ取付紐５が平らに形成された紐により構成されているのは、接着テープ６により覆われて接続されたときに、ストラップ取付紐５の表面積に対する接着テープ６の接着面との接触割合を高くすることで、ストラップ取付紐５が専管体３から外れないようにするためである。
【００３６】
接着テープ６は、ストラップ取付紐５を専管体３に接続し、かつ、専管体３を補強するためのテープであり、例えば、マスキングテープ等が使用される。
【００３７】
図３は、図１の吹き戻し１に取り付けられる吹き戻し用ストラップ１０を示す斜視図である。この吹き戻し用ストラップ１０は、ストラップ取付紐５に接続され、使用者の首を含む対象体に掛けるための紐状のストラップであり、主として、掛け部（ストラップの他端側）１１と、連結金具１２と、フック１３とを備えている。
【００３８】
掛け部１１は、対象体、例えば使用者の首に掛ける部分であり、その対象体に掛けることが可能な長さの紐状部材により構成されている。連結金具１２は、掛け部１１とフック１３とを連結するための金具であり、環状の金属部材により構成されている。フック１３は、ストラップ取付紐５に接続される部分であり、Ｌ字状のフック固定部１３１と、フック固定部１３１の一端に連結されて他端を押圧する押圧部１３２とを備えている。このフック１３は、押圧部１３２を押圧すると開き、ストラップ取付紐５が挿入されて接続されるように構成されている。
【００３９】
図１及び図２に示す構成の吹き戻し１では、使用者が口吹体４から空気を吹き込むと、空気が伸縮体２に流入して伸縮体２が伸び、空気を吹き込まない状態では、図１に示すように、線状体２２の弾性力によって伸縮体２が渦巻状に巻き戻る。この際、口吹体４から空気を吹き込む必要呼気力が、目的や使用者状況などに応じて設定された適正値（所定値）以上でないと、伸縮体２が伸び続けていかず、また、目的や使用者状況などに応じて予め設定された空気量だけ吹き込まないと、伸縮体２が最大限まで伸びないように構成されている。従って、このような吹き戻し１を使用して伸縮体２の伸縮（吹き戻し）を繰り返すことで、目的や使用者状況などに応じた適正な必要呼気力での運動、訓練が行えるものである。
【００４０】
図４は、図３の吹き戻し用ストラップ１０を図１の吹き戻し１に取り付けた状態を示す斜視図である。吹き戻し用ストラップ１０のフック１３を押圧部１３２を押圧することにより開き、吹き戻し１のストラップ取付紐５を挿入することで、吹き戻し用ストラップ１０は吹き戻し１に取り付けられる。この状態で、使用者Ｈの首に掛けると、吹き戻し１は伸縮体２が上方に向き、口吹体４が下方に向くようになっている。これにより、吹き戻し１を使用しない時は、吹き戻し１は口吹体４が下方に向く状態で使用者Ｈの首に掛けられるので、専管体３の中に溜まっていた唾液が下方に落下するため、専管体３の中に唾液が溜まってしまうことを防止する。
【００４１】
以上のように、この吹き戻し１及び吹き戻し用ストラップ１０によれば、吹き戻し１にストラップ取付紐５を備え、吹き戻し用ストラップ１０を取り付け可能であり、吹き戻し用ストラップ１０が取り付けられて使用者Ｈの首に掛けられると、吹き戻し１は、伸縮体２が上方に向き、口吹体４が下方に向く状態になる。これにより、専管体３の中に溜まっていた唾液が下方に落下するため、専管体３の中に唾液が溜まってしまうことを防止し、専管体３の中で雑菌が繁殖して不衛生になることを防止することが可能になるとともに厚い紙材（厚紙）で形成された専管体の耐久性を上げることができる。また、ストラップ取付紐５の接続部５１が、接着テープ６により専管体３に覆われて接続されて専管体３が補強されるので、ストラップ取付紐５が専管体３から外れてしまうことを防止する。これにより、口吹体４が下方を向いた状態で安定するので、専管体３の中で唾液が溜まってしまうことを防止することができる。
【００４２】
以上、この発明の実施の形態１について説明したが、具体的な構成は、上記の実施の形態１に限られるものではなく、この発明の要旨を逸脱しない範囲の設計の変更等があっても、この発明に含まれる。例えば、上記の実施の形態１では、ストラップ取付紐５の接続部５１を専管体３の軸方向に沿って設けられているが、専管体３に巻き付けるように設けても良い。これにより、接着テープ６の接着面との接触割合がより高くなるので、ストラップ取付紐５が専管体３から外れることを防止する。
【００４３】
（実施の形態２）
図５および図６は、この実施の形態２に係る吹き戻し用アダプタ７０を示し、図５（ａ）は、この吹き戻し用アダプタ７０が貼り付けられる吹き戻し１Ａを示す背面図、図５（ｂ）は吹き戻し１Ａに貼り付けられる前の状態の吹き戻し用アダプタ７０の正面図である。また、図６（ａ）は吹き戻し用アダプタ７０が貼られた状態の吹き戻し１Ａの背面図、図６（ｂ）はその吹き戻し１Ａの側面図である。
【００４４】
なお、この実施の形態２の吹き戻し１Ａが上記実施の形態１で説明した吹き戻し１と相違する点は、ストラップ取付紐５、接着テープ６が取り付けられていない点および吹き戻し用アダプタ７０が貼付しやすいように貼付位置１ａを標した点であり、他の部分、部位は同じなので同一符号を付してその説明は省略する。以下に説明する実施の形態３乃至５においても同様である。
【００４５】
吹き戻し用アダプタ７０は、略四角い平板状で一辺から突出した目印部７１ａを有するシール７１と、該シール７１に設けられた被係止部７２とからなる。
【００４６】
具体的には、上記シール７１は吹き戻し１Ａの専管体３の一端部３１に巻回される帯状を呈し、その中央部に長手側縁の一部が突出して三角状の目印部７１ａが形成されており、シール７１の上記目印部７１ａ以外の部分に接着剤が塗布されている。
【００４７】
被係止部７２は紐体からなり、該紐体７２を輪っか状に形成し、交差した部分を上記シール７１の接着剤が塗布された面に合わせるようにして、紐体７２の輪っか状部分を目印部７１ａから外方に位置させる。
【００４８】
一方、吹き戻し１Ａの専管体３の一端部３１には帯状の網掛図柄が設けられているとともに、伸縮体２の線状体２２が位置した部分にも三角形状の網掛図柄が上記専管体３に描かれている（図５（ａ））。
【００４９】
これにより、専管体３の網掛図柄と伸縮体２の網掛図柄とが上記シール７１を貼付する位置として認識される。
【００５０】
次に、上述のように構成された吹き戻し用アダプタ７０を、その紐体７２が接着面に位置させたシール７１を上記専管体３および伸縮体２に設けられた網掛図柄に重なるように、特に、シール７１の目印部７１ａが伸縮体２の三角形状の網掛図柄に位置するように貼付する（図６）。
【００５１】
吹き戻し１Ａの専管体３の一端部３１にシール７１を介して貼付された輪っか状の紐体７２は、上記実施の形態１で説明した吹き戻し用ストラップ１０のフック１３を係止する吹き戻し用アダプタ７０の被係止部７２として機能する。
【００５２】
このように、伸縮体２に目印部７１ａがあることにより、吹き戻し用アダプタ７０を吹き戻し１Ａの専管体３の一端部３１の所定の位置に、簡便にかつ、位置精度よく貼付することができ、吹き戻し用ストラップ１０で吹き戻し１Ａを吊り下げたときに専管体３の他端側３２を確実に下方に向くようにすることができる。
【００５３】
なお、吹き戻し１Ａの専管体３および伸縮体２に網掛図柄を形成して貼付位置を簡便に認識させるようにしたが、このような網掛図柄に限らず、専管体３及び伸縮体２の所定の位置に文字、マーク、印などを形成しても良い。
【００５４】
また、この実施の形態２おいて、吹き出し用アダプタ７０の貼付位置を簡便に認識できるように、専管体３および伸縮体２に網掛図柄を形成したが、吹き戻し１Ａ側にこのような貼付位置を認識させるためのものが無くても、吹き戻し用アダプタ７０の目印部７１ａを吹き戻し１Ａのどの部分（専管体の一端部３１）に貼付するかを例えば当該吹き戻し用アダプタ７０の取扱説明書、包装袋などに明記しておけば、吹き戻し１Ａの所定の位置に容易に取り付けることができる。
【００５５】
即ち、このように構成された吹き戻し用アダプタ７０を用いれば、既存の吹き戻しに吹き戻し用アダプタ７０を吹き戻しの所定の位置に容易に貼付することができ、既存の吹き出しにおいても、口吹体４が下方を向いた状態で安定させることができ、専管体３の中で唾液が溜まってしまうことを防止することができる。
【００５６】
（実施の形態３）
図７は、この実施の形態３に係る吹き戻し用アダプタ８０を示し、図７（ａ）は、この吹き戻し用アダプタ８０を展開した状態の正面図、図７（ｂ）は吹き戻し用アダプタ８０を吹き戻し１Ｂに貼り付けた状態の背面図である。
【００５７】
吹き戻し用アダプタ８０は、吹き戻し１Ｂの専管体３に貼り付けられるシール８１と、該シール８１に設けられた被係止部８２とからなる。
【００５８】
具体的には、上記シール８１は吹き戻し１Ｂの専管体３のほぼ全面に巻回される四角い平板状を呈し、その上縁の一部が突出した舌片状に形成されており、この舌片状部分が後述するように被係止部８２として機能するようになっている。
【００５９】
シール８１の上記舌片状の部分には小孔８２ａが形成されており、また、この舌片状部分８２以外のシール８１のほぼ全面に接着剤が塗布されている。
【００６０】
シール８１の接着剤が塗布された側と反対側の表面であって、上記舌片状部分８２が形成された側縁近傍に「伸縮体側」８３と、またこれと対向する側縁に「口吹体側」８３と文字がそれぞれ描かれている。
【００６１】
このように構成された吹き戻し用アダプタ８０を、そのシール８１の文字（貼付位置）８３、８３が描かれた側を、それぞれ専管体３の一端部（伸縮体２側端部）３１と他端部（口吹体４側端部）３２にそれぞれ対応するように、専管体３に巻き付けるように貼付する。
【００６２】
吹き戻し１Ｂの専管体３に吹き戻し用アダプタ８０を貼付した後、その舌片状部分８２が専管体３から上方へ突出して伸縮体２側に位置され、この舌片状部分８２の小孔８２ａに吹き戻し用ストラップ１０のフック１３を係止する。
【００６３】
これにより、シール８１の舌片部分は吹き戻し用アダプタ８０の被係止部８２として機能し、吹き戻し用ストラップ１０で吹き戻し１Ｂを吊り下げた際に、確実に口吹体４が下方を向いた状態で安定させることができ、専管体３の中で唾液が溜まってしまうことを防止することができる。
【００６４】
このように、シール８１に描いた文字８３、８３は当該吹き戻し用アダプタ８０を専管体３に貼付する位置（貼付位置）を標すためのもので、これにより、吹き戻し用アダプタ８０を専管体３の所定の位置に簡便かつ精確に貼付することができる。
【００６５】
なお、この実施の形態３にあっては、被係止部８２をシール８１と一体に形成したものを示したが、これに限らず、上記実施の形態２で説明した紐体７２を、シール８１を専管体３に貼付するときに挟み込むように設けるようにしても良い。
【００６６】
また、吹き戻し用アダプタ８０の貼付位置８３、８３をこの実施の形態３にあってはシール８１に描いた文字８３、８３としたが、これに限らず、絵柄、図柄、マークなどであっても良く、要は、当該吹き戻し用アダプタ８０のどの部位、部分が専管体３のどの部位、部分に対応するかが認識できるものであれば良い。
【００６７】
（実施の形態４）
図８は、この実施の形態４に係る吹き戻し用アダプタ９０を示し、図８（ａ）は、この吹き戻し用アダプタ９０の側面図、図８（ｂ）は吹き戻し用アダプタ９０の平面図、図８（ｃ）は吹き戻し用アダプタ９０を吹き戻し１Ｃに取り付けた状態の背面図である。
【００６８】
吹き戻し用アダプタ９０は、吹き戻し１Ｃの専管体３を挟持するための挟持部９１と、該挟持部９１を操作する把持部９２とからなる。
【００６９】
具体的には、吹き戻し用アダプタ９０は、見開きになる左右対称のクリップで、閉じた状態が円筒状になる挟持部９１と、該挟持部９１にヒンジ（図示は省略する）を介して設けられた把持部９２とを備え、一般にバンズクリップなどと称される髪を止めるクリップとほぼ同じ構造を有する。
【００７０】
挟持部９１には一方の側縁部から外方に突出する舌片９３が形成され、該舌片９３には小孔９３ａが形成されている。
【００７１】
このように構成された吹き戻し用アダプタ９０は、その把持部９２を指で摘まむと挟持部９１が開き、指を放すと挟持部９１が閉じるようになっている。
【００７２】
そして、吹き戻し用アダプタ９０の把持部９２を指で掴んで挟持部９１を開き、挟持部９１を開いた状態で吹き戻し１Ｃの専管体３の一端部３１を挟持する。このとき、前記舌片９３を専管体３の上方であって、伸縮体２が渦巻状に巻かれる側と反対側に位置するようにする。
【００７３】
次に、吹き戻し１Ｃの専管体３を挟持した吹き戻し用アダプタ９０の舌片９３の小孔９３ａに吹き戻し用ストラップ１０のフック１３を係止する。
【００７４】
これにより、舌片９３は吹き戻し用アダプタ９０の被係止部９３として機能し、吹き戻し用ストラップ１０で吹き戻し１Ｃを吊り下げた際に、確実に口吹体４が下方を向いた状態で安定させることができ、専管体３の中で唾液が溜まってしまうことを防止することができる。
【００７５】
なお、吹き戻し用アダプタ９０の前記挟持部９１により挟持される専管体３の部位に、挟持位置１ｂを標すための表示を設けたり、或いは前記挟持部９１に専管体３のどの部位を挟持するかを文字或いはマークなどで標すようにしても良い。
【００７６】
また、この実施の形態４にあっては、被係止部となる舌片９３を挟持部９１に形成したがこれに限らず、把持部９２に形成しても良いし、或いは、把持部９２に小孔を直接形成して、該小孔を被係止部としても良い。
【００７７】
（実施の形態５）
図９は、この実施の形態５に係る吹き戻し用アダプタ１００を示し、図９（ａ）は、この吹き戻し用アダプタ１００の正面図、図９（ｃ）は吹き戻し用アダプタ１００を吹き戻し１Ｄに取り付けた状態の側面図、図９（ｃ）は吹き戻し用アダプタ１００を吹き戻し１Ｄに取り付けた状態の平面図である。
【００７８】
吹き戻し用アダプタ１００は、吹き戻し１Ｄの前記伸縮体２が膨らんだときの外径と略同じ大きさの中心孔１０１と、該中心孔１０１の一部に形成された切欠部１０２と、前記吹き戻し用ストラップ１０のフック（係止部）１３が係止される被係止部１０３とを備えた板状部材からなる。
【００７９】
吹き戻し用アダプタ１００は可撓性を有するほぼ四角いプラスチック板からなり、その中心部に前記中心孔１０１が、また、該中心孔１０１の一部が切り欠かれて切欠部１０２が形成されており、該切欠部１０２が形成された側縁に隣接する他の側縁にはやや盛り上がった山片１０３が一体に形成され、該山片１０３には小孔１０３ａが形成されている。
【００８０】
このように構成された吹き戻し用アダプタ１００は、吹き戻し１Ｄの前記伸縮体２の専管体３の一端部であって渦巻状に巻かれない部分２４に取り付けられる。
【００８１】
具体的には、前記伸縮体２の専管体３側の端部であって渦巻状に巻かれない部分２４を前記吹き戻し用アダプタ１００の切欠部１０２に通してその中心孔１０１に位置させる。
【００８２】
次に、前記吹き戻し用アダプタ１００の山片１０３の小孔１０３ａに前記吹き戻し用ストラップ１０のフック１３を係止する。
【００８３】
これにより、山片１０３は吹き戻し用アダプタ１００の被係止部として機能し、吹き戻し用ストラップ１０で吹き戻し１Ｄを吊り下げた際に、確実に口吹体４が下方を向いた状態で安定させることができ、専管体３の中で唾液が溜まってしまうことを防止することができる。
【００８４】
また、吹き戻し用アダプタ１００の切欠部１０２を形成した側縁と山片１０３を形成した側縁とを隣接した側縁に形成したのは、切欠部１０２を形成した側縁と山片１０３を形成した側縁が対向した側縁に形成した場合、吹き戻し用ストラップ１０で吹き戻し１Ｄを吊り下げたとき、山片１０３の下方の位置に切欠部１０２が位置してしまい、該切欠部１０２から吹き戻し１Ｄが落下してしまう恐れがあるからである。
【００８５】
なお、吹き戻し用アダプタ１００の中心孔１０１に位置させる前記伸縮体２の部位（渦巻状に巻かれない部分２４）に、取り付け位置を標すための表示を設けたり、或いは前記吹き戻し用アダプタ１００に伸縮体２のどの部位を取り付けるかを文字或いはマークなどで標すようにしても良い。
【００８６】
（実施の形態６）
図１０は、この実施の形態６に係る吹き戻し用アダプタ付ストラップ１５を示す正面図である。
【００８７】
この吹き戻し用アダプタ付ストラップ１５は、ストラップ本体１５ａと吹き戻し用アダプタ９０とからなる。
【００８８】
この吹き戻し用アダプタ９０は上記実施の形態４で説明した吹き戻し用アダプタ９０と同じものであり、その詳細は同一符号を付すことにより省略する。
【００８９】
吹き戻し用アダプタ付ストラップ１５のストラップ本体１５ａは、前記各実施の形態で説明した吹き戻し用ストラップ１０の連結金具１２およびフック１３を備えない紐状のストラップで環状を呈している。
【００９０】
そして、ストラップ本体１５ａには吹き戻し用アダプタ９０の舌片９３の小孔９３ａが通されて、吹き戻し用アダプタ付ストラップ１５が構成されている。
【００９１】
しかして、吹き戻し用アダプタ付ストラップ１５は、その吹き戻し用アダプタ９０により吹き戻しの専管体３の一端部３１を挟持して使用に供される（図示は省略する）。
【００９２】
これにより、吹き戻し用ストラップ１５で吹き戻し１Ｃを吊り下げた際に、確実に口吹体４が下方を向いた状態で安定させることができ、専管体３の中で唾液が溜まってしまうことを防止することができる。
【００９３】
（実施の形態７）
図１１は、この実施の形態７に係る吹き戻し用アダプタ付ストラップ１６を示す正面図である。
【００９４】
この吹き戻し用アダプタ付ストラップ１６は、ストラップ本体１６ａと吹き戻し用アダプタ１００とからなる。
【００９５】
この吹き戻し用アダプタ１００は上記実施の形態５で説明した吹き戻し用アダプタ１００と同じものであり、その詳細は同一符号を付すことにより省略する。
【００９６】
吹き戻し用アダプタ付ストラップ１６のストラップ本体１６ａは、前記各実施の形態で説明した吹き戻し用ストラップ１０の連結金具１２およびフック１３を備えない紐状のストラップで環状を呈している。
【００９７】
そして、ストラップ本体１６ａには吹き戻し用アダプタ１００の山片１０３の小孔１０３ａが通されて、吹き戻し用アダプタ付ストラップ１６が構成されている。
【００９８】
しかして、吹き戻し用アダプタ付ストラップ１６は、その吹き戻し用アダプタ１００により吹き戻しの専管体３の一端部３１を挟持して使用に供される（図示は省略する）。
【００９９】
これにより、吹き戻し用ストラップ１６で吹き戻し１Ｄを吊り下げた際に、確実に口吹体４が下方を向いた状態で安定させることができ、専管体３の中で唾液が溜まってしまうことを防止することができる。
【符号の説明】
【０１００】
１        吹き戻し
２        伸縮体
２１      渦巻状部
２２      線状体
３        専管体
３１      一端部（専管体一端側）
３２      他端部（専管体他端側）
４        口吹体
５        ストラップ取付紐（ストラップの一端側）
５１      接続部
５２      環状部
６        接着テープ
１０      吹き戻し用ストラップ
１１      掛け部（ストラップの他端側）
１２      連結金具
１３      フック
１Ａ      吹き戻し
１ａ      貼付位置
７０      吹き戻し用アダプタ
７１      シール
７１ａ    目印部
７２      紐体
１Ｂ      吹き戻し
８０      吹き戻し用アダプタ
８１      四角いシール
８２      舌片部分（被係止部）
８２ａ    小孔
８３      文字（貼付位置）
１Ｃ      吹き戻し
９０      吹き戻し用アダプタ
９１      挟持部
９２      把持部
９３      舌片（被係止部）
９３ａ    小孔
１Ｄ      吹き戻し
２４      渦巻状にならない部分
１００    吹き戻し用アダプタ
１０１    中心孔
１０２    切欠部
１０３    山片（被係止部）
１０３ａ  小孔
１５      吹き戻し用アダプタ付ストラップ
１５ａ    ストラップ本体
１６      吹き戻し用アダプタ付ストラップ
１６ａ    ストラップ本体
【図１】
2018202169.tif 000003
【図２】
2018202169.tif 000004
【図３】
2018202169.tif 000005
【図４】
2018202169.tif 000006
【図５】
2018202169.tif 000007
【図６】
2018202169.tif 000008
【図７】
2018202169.tif 000009
【図８】
2018202169.tif 000010
【図９】
2018202169.tif 000011
【図１０】
2018202169.tif 000012
【図１１】
2018202169.tif 000013